(57)【要約】【課題】煩雑な入力作業を行うことなく簡便に携帯端末の携帯端末識別情報を契約情報に関係付けて管理する。【解決手段】コンテンツ配信装置は、受信端末から受信端末識別情報およびコンテンツ配信要求情報を受信し、コンテンツデータに受信端末識別情報を埋め込んで埋め込み済コンテンツデータを生成し、この埋め込み済コンテンツデータを受信端末に送信する。契約情報管理装置は、受信端末識別情報と契約情報とを関係付けて記憶し、受信端末が埋め込み済コンテンツデータを再生させたことに基づいて、埋め込み済コンテンツデータから受信端末識別情報を抽出した携帯端末が送信する、携帯端末識別情報および受信端末識別情報を受信し、受信端末識別情報をキーとして、契約情報記憶部から受信端末識別情報に関係付けられた契約情報を検索し、携帯端末識別情報を契約情報に関係付けて契約情報記憶部に記憶させる。【選択図】図１
2015095038.tif 000002
【特許請求の範囲】
【請求項１】
コンテンツ配信装置と契約情報管理装置とを含むコンテンツ配信システムであって、
前記コンテンツ配信装置は、
受信端末が送信した、前記受信端末を識別する受信端末識別情報およびコンテンツ配信要求情報を受信する配信要求受信部と、
前記コンテンツ配信要求情報に対応するコンテンツデータに前記受信端末識別情報を埋め込んで埋め込み済コンテンツデータを生成する埋め込み処理部と、
前記埋め込み済コンテンツデータを前記受信端末に送信するコンテンツ送信部と、
を備え、
前記契約情報管理装置は、
契約者ごとに、受信端末識別情報と契約情報とを関係付けて記憶する契約情報記憶部と、
前記埋め込み済コンテンツデータを受信した受信端末が前記埋め込み済コンテンツデータを再生させたことに基づいて、前記埋め込み済コンテンツデータを取り込んで前記埋め込み済コンテンツデータから前記受信端末識別情報を抽出した携帯端末が送信する、前記携帯端末を識別する携帯端末識別情報および前記受信端末識別情報を受信する識別情報受信部と、
前記携帯端末識別情報および前記受信端末識別情報における前記受信端末識別情報をキーとして、契約情報記憶部から前記受信端末識別情報に関係付けられた契約情報を検索し、前記携帯端末識別情報を前記契約情報に関係付けて前記契約情報記憶部に記憶させる記憶管理部と、
を備える、
コンテンツ配信システム。
【請求項２】
前記埋め込み処理部は、前記受信端末識別情報をコード化した画像情報を前記コンテンツデータに合成し、
前記携帯端末は、前記埋め込み済コンテンツデータに記録された前記コード化した画像情報を読み取ることによって、前記埋め込み済コンテンツデータから前記受信端末識別情報を抽出する、
請求項１記載のコンテンツ配信システム。
【請求項３】
前記埋め込み処理部は、前記受信端末識別情報をコード化した音声情報を前記コンテンツデータに合成し、
前記携帯端末は、前記埋め込み済コンテンツデータに記録された前記コード化した音声情報を取り込むことによって、前記埋め込み済コンテンツデータから前記受信端末識別情報を抽出する、
請求項１記載のコンテンツ配信システム。
【発明の詳細な説明】
【技術分野】
【０００１】
本発明は、コンテンツ配信システムに関する。
【背景技術】
【０００２】
セットトップボックスからの配信要求に応じてコンテンツサーバがコンテンツデータを配信し、セットトップボックスがそのコンテンツデータを受信して再生させるコンテンツ配信システムが知られている（例えば、特許文献１参照）。コンテンツ配信事業者（サービス提供者）は、視聴者（契約者）が使用するセットトップボックスの端末ＩＤ（端末識別情報）とその視聴者の契約情報（課金決済情報）とを関係付けて管理している。
【０００３】
また、視聴者の携帯端末に、コンテンツサーバからコンテンツデータを取得させて再生させることも行われている。ここで、従来のコンテンツ配信システムでは、例えば、以下の方法により、携帯端末ＩＤ（携帯端末識別情報）と契約情報との関係付けを行っている。第１の方法として、携帯端末の使用者である契約者が、例えばインターネット上の会員登録サイトから会員ＩＤを取得したのち、当該携帯端末からその会員ＩＤを入力することによって、契約情報サーバに携帯端末の携帯端末ＩＤを取得させる。そして、会員ＩＤを管理する契約情報サーバが、当該契約者の契約情報と携帯端末ＩＤとを関係付けて管理する。第２の方法として、セットトップボックスの端末ＩＤを組み込んだエントリコード（認証コード）をセットトップボックスの設定画面として表示装置に表示させる。そして、携帯端末からそのエントリコードを入力させることによって、携帯端末は、エントリコード内の端末ＩＤと携帯端末ＩＤとを契約情報サーバに送信する。そして、端末ＩＤと契約情報とを関係付けて管理する契約情報サーバは、これらの情報に加えて、さらに携帯端末ＩＤを関係付けて管理する。
【先行技術文献】
【特許文献】
【０００４】
【特許文献１】特開２００５−２５２４６１号公報
【発明の概要】
【発明が解決しようとする課題】
【０００５】
しかしながら、上記の第１の方法では、携帯端末の使用者が事前にインターネット上で会員登録を行う必要があり、煩わしい作業を強いることとなる。また、第２の方法でも、携帯端末の使用者がセットトップボックスの設定画面を表示装置に表示させて登録作業を行うという煩わしい手間がかかる。
本発明は、上記事情に鑑みてなされたものであり、煩雑な入力作業を行うことなく簡便に携帯端末の携帯端末識別情報を契約情報に関係付けて管理する、コンテンツ配信システムを提供することを目的とする。
【課題を解決するための手段】
【０００６】
［１］上記の課題を解決するため、本発明の一態様であるコンテンツ配信システムは、コンテンツ配信装置と契約情報管理装置とを含むコンテンツ配信システムであって、前記コンテンツ配信装置は、受信端末が送信した、前記受信端末を識別する受信端末識別情報およびコンテンツ配信要求情報を受信する配信要求受信部と、前記コンテンツ配信要求情報に対応するコンテンツデータに前記受信端末識別情報を埋め込んで埋め込み済コンテンツデータを生成する埋め込み処理部と、前記埋め込み済コンテンツデータを前記受信端末に送信するコンテンツ送信部と、を備え、前記契約情報管理装置は、契約者ごとに、受信端末識別情報と契約情報とを関係付けて記憶する契約情報記憶部と、前記埋め込み済コンテンツデータを受信した受信端末が前記埋め込み済コンテンツデータを再生させたことに基づいて、前記埋め込み済コンテンツデータを取り込んで前記埋め込み済コンテンツデータから前記受信端末識別情報を抽出した携帯端末が送信する、前記携帯端末を識別する携帯端末識別情報および前記受信端末識別情報を受信する識別情報受信部と、前記携帯端末識別情報および前記受信端末識別情報における前記受信端末識別情報をキーとして、契約情報記憶部から前記受信端末識別情報に関係付けられた契約情報を検索し、前記携帯端末識別情報を前記契約情報に関係付けて前記契約情報記憶部に記憶させる記憶管理部と、を備える。
【０００７】
［２］上記［１］記載のコンテンツ配信システムにおいて、前記埋め込み処理部は、前記受信端末識別情報をコード化した画像情報を前記コンテンツデータに合成し、前記携帯端末は、前記埋め込み済コンテンツデータに記録された前記コード化した画像情報を読み取ることによって、前記埋め込み済コンテンツデータから前記受信端末識別情報を抽出する。
［３］上記［１］記載のコンテンツ配信システムにおいて、前記埋め込み処理部は、前記受信端末識別情報をコード化した音声情報を前記コンテンツデータに合成し、前記携帯端末は、前記埋め込み済コンテンツデータに記録された前記コード化した音声情報を取り込むことによって、前記埋め込み済コンテンツデータから前記受信端末識別情報を抽出する。
【発明の効果】
【０００８】
本発明によれば、煩雑な入力作業を行うことなく簡便に携帯端末の携帯端末識別情報を契約情報に関係付けて管理することができる。
【図面の簡単な説明】
【０００９】
【図１】本発明の一実施形態であるコンテンツ配信システムを適用した全体システムの機能構成を示すブロック図である。
【図２】コンテンツ配信装置の埋め込み処理部が生成した埋め込み済コンテンツデータにおける一画像を表した図である。
【図３】受信端末およびコンテンツ配信装置の処理手順を示すフローチャートである。
【図４】携帯端末および契約情報管理装置の処理手順を示すフローチャートである。
【発明を実施するための形態】
【００１０】
以下、本発明を実施するための形態について、図面を参照して詳細に説明する。
図１は、本発明の一実施形態であるコンテンツ配信システムを適用した全体システムの機能構成を示すブロック図である。同図に示すように、全体システムは、コンテンツ配信システム１と、受信端末２と、携帯端末３とを含む。コンテンツ配信システム１は、コンテンツ配信事業者（サービス事業者）が管理するシステムである。受信端末２および携帯端末３は、コンテンツ配信事業者が提供するコンテンツ配信サービスを受ける視聴者（契約者）がともに有する装置である。受信端末２は、例えば、セットトップボックスであり、携帯端末３は、例えば、スマートフォン、タブレット等の携帯情報通信端末である。
【００１１】
コンテンツ配信システム１は、コンテンツ配信装置１０と、契約情報管理装置２０とを含む。コンテンツ配信装置１０は、受信端末２からのコンテンツ配信要求を受けてコンテンツデータを受信端末２に配信する装置である。契約情報管理装置２０は、コンテンツ配信サービスを受ける者についてのそのコンテンツ配信サービスに係る契約情報（課金決済情報）を管理する装置である。コンテンツ配信装置１０および契約情報管理装置２０それぞれは、サーバ装置により実現される。なお、コンテンツ配信装置１０および契約情報管理装置２０を一体として構成してもよい。
【００１２】
図１に示すように、コンテンツ配信装置１０は、配信要求受信部１１と、コンテンツデータ記憶部１２と、埋め込み処理部１３と、コンテンツ送信部１４とを備える。
【００１３】
配信要求受信部１１は、受信端末２が送信する、受信端末識別情報およびコンテンツ配信要求情報を受信する。受信端末識別情報は、受信端末２を識別する識別情報である。コンテンツ配信要求情報は、コンテンツデータを指定するコンテンツ指定情報を含む。このコンテンツ配信要求情報は、コンテンツ指定情報によって指定するコンテンツデータの配信要求を示す情報である。本実施形態において、コンテンツ配信要求情報は、受信端末２の導入ガイダンスビデオまたはヘルプビデオを指定するコンテンツ指定情報を含む。配信要求受信部１１は、受信端末識別情報を埋め込み処理部１３に供給し、コンテンツ配信要求情報をコンテンツデータ記憶部１２に供給する。
【００１４】
コンテンツデータ記憶部１２は、多数のコンテンツデータを記憶する。コンテンツデータ記憶部１２は、例えば、磁気ハードディスク装置または半導体記憶装置により実現される。コンテンツデータ記憶部１２は、コンテンツ配信要求情報に基づいて、コンテンツ配信要求情報に含まれるコンテンツ指定情報に該当するコンテンツデータを読み出し、このコンテンツデータを埋め込み処理部１３に供給する。
【００１５】
埋め込み処理部１３は、コンテンツデータ記憶部１２から読み出されたコンテンツデータを取り込み、また、配信要求受信部１１が供給する受信端末識別情報を取り込む。埋め込み処理部１３は、コンテンツデータの所定の箇所に受信端末識別情報を埋め込んで、埋め込み済コンテンツデータを生成する。具体的に、例えば、埋め込み処理部１３は、コンテンツデータにおけるあらかじめ決められた開始タイムコードの位置から終了タイムコードの位置までのビデオデータ部分に、受信端末識別情報を二次元コード化した画像（画像コード）を合成する。埋め込み処理部１３は、生成した埋め込み済コンテンツデータをコンテンツ送信部１４に供給する。または、例えば、埋め込み処理部１３は、ビデオデータ部分に、受信端末識別情報を透かし情報として埋め込む。
【００１６】
コンテンツ送信部１４は、埋め込み処理部１３が供給する埋め込み済コンテンツデータを取り込み、この埋め込み済コンテンツデータを、コンテンツ要求元である受信端末２に送信する。
【００１７】
また、図１に示すように、契約情報管理装置２０は、契約情報記憶部２１と、識別情報受信部２２と、記憶管理部２３とを備える。
【００１８】
契約情報記憶部２１は、受信端末２を使用する視聴者（契約者）の契約情報を、当該受信端末２の受信端末識別情報に関係付けて記憶する。また、視聴者が携帯端末３を用いたコンテンツ配信サービスを受ける場合は、契約情報記憶部２１は、当該携帯端末３を識別する携帯端末識別情報をも、契約情報に関係付けて記憶する。契約情報記憶部２１は、例えば、磁気ハードディスク装置または半導体記憶装置により実現される。
【００１９】
識別情報受信部２２は、携帯端末３が送信する、当該携帯端末３の携帯端末識別情報および受信端末識別情報を受信し、これら携帯端末識別情報および受信端末識別情報のペア情報を記憶管理部２３に供給する。
【００２０】
記憶管理部２３は、識別情報受信部２２が供給する携帯端末識別情報および受信端末識別情報を取り込み、受信端末識別情報をキーとして、契約情報記憶部２１から受信端末識別情報に関係付けられた契約情報を検索する。そして、記憶管理部２３は、取り込んだ携帯端末識別情報を検索された契約情報に関係付けて契約情報記憶部２１に記憶させる。
【００２１】
また、図１に示すように、受信端末２は、配信要求送信部３０と、コンテンツ受信部４０と、再生処理部５０とを備える。
【００２２】
配信要求送信部３０は、受信装置２があらかじめ有する受信端末識別情報を取得する。この受信端末識別情報は、受信装置２の図示しない記憶部にあらかじめ記憶されている。そして、配信要求送信部３０は、コンテンツデータ（例えば、導入ガイダンスビデオまたはヘルプビデオ）を指定するコンテンツ指定情報を含めたコンテンツ配信要求情報を生成し、受信端末識別情報およびコンテンツ配信要求情報をコンテンツ配信装置１０に送信する。
なお、配信要求送信部３０は、受信端末識別情報をコンテンツ配信要求情報に含めてもよい。
【００２３】
コンテンツ受信部４０は、コンテンツ配信装置１０のコンテンツ送信部１４が送信する埋め込み済コンテンツデータを受信し、この埋め込み済コンテンツデータを再生処理部５０に供給する。
再生処理部５０は、コンテンツ受信部４０が供給する埋め込み済コンテンツデータを取り込み、この埋め込み済コンテンツデータを再生させる。具体的に、例えば、埋め込み済コンテンツデータが、受信端末識別情報をコード化した画像コードを含む導入ガイダンスビデオである場合、再生処理部５０は、この導入ガイダンスビデオを、図示しない表示装置に表示させる。
【００２４】
図１に示すように、携帯端末は、入力部６０と、受信端末識別情報抽出部７０と、識別情報送信部８０とを備える。
【００２５】
入力部６０は、受信端末２の再生処理部５０が再生する埋め込み済コンテンツデータを取り込む。具体的に、例えば、再生処理部５０が埋め込み済コンテンツデータを表示装置に表示させた場合、入力部６０は、その表示画像を内蔵する図示しない撮影部（カメラ）で撮影することによって、埋め込み済コンテンツデータを取り込む。入力部６０は、取り込んだ埋め込み済みコンテンツデータを受信端末識別情報抽出部７０に供給する。
【００２６】
受信端末識別情報抽出部７０は、入力部６０が供給する埋め込み済コンテンツデータを取り込み、この埋め込み済コンテンツデータから受信端末識別情報を抽出する。具体的に、例えば、受信端末識別情報抽出部７０は、埋め込み済コンテンツデータに含まれる画像コードを認識し、この画像コードから受信端末識別情報を取得する。または、例えば、受信端末識別情報抽出部７０は、埋め込み済コンテンツデータに埋め込まれている透かし情報を受信端末識別情報として抽出する。受信端末識別情報抽出部７０は、取得または抽出した受信端末識別情報を識別情報送信部８０に供給する。
【００２７】
識別情報送信部８０は、例えば、携帯端末３がコンテンツ配信事業者のサービスサイト（契約情報管理装置２０が有するサイト）にアクセスすることによってこのサービスサイトから発行された自端末固有の識別情報である携帯端末識別情報を取得し記憶しておく。そして、識別情報送信部８０は、受信端末識別情報抽出部７０が供給する受信端末識別情報を取り込み、この受信端末識別情報および携帯端末識別情報を契約情報管理装置２０に送信する。
【００２８】
図２は、コンテンツ配信装置１０の埋め込み処理部１３が生成した埋め込み済コンテンツデータにおける一画像を表した図である。同図に示した画像４は、導入ガイダンスビデオにおける画像の例である。同図によれば、受信装置２は、埋め込み済コンテンツデータを再生させることにより、表示装置に、導入ガイダンスを映像および音声または映像のみによって表しながら、「この画像コードを読み取ってください。」とのアナウンス画像（テキスト）とともに、受信端末識別情報を含む画像コードを表示する。
【００２９】
次に、本実施形態であるコンテンツ配信システム１を適用した全体システムの動作について説明する。
図３は、受信端末２およびコンテンツ配信装置１０の処理手順を示すフローチャートである。まず、受信端末２の動作について説明する。
ステップＳ１において、配信要求送信部３０は、受信装置２の記憶部に記憶された受信端末識別情報を読出す。次に、配信要求送信部３０は、コンテンツデータを指定するコンテンツ指定情報を含めたコンテンツ配信要求情報を生成する。次に、配信要求送信部３０は、受信端末識別情報およびコンテンツ配信要求情報をコンテンツ配信装置１０に送信する。
【００３０】
次に、ステップＳ２において、コンテンツ受信部４０は、コンテンツ配信装置１０のコンテンツ送信部１４が送信する埋め込み済コンテンツデータを受信し、この埋め込み済コンテンツデータを再生処理部５０に供給する。
【００３１】
次に、ステップＳ３において、再生処理部５０は、コンテンツ受信部４０が供給する埋め込み済コンテンツデータを取り込み、この埋め込み済コンテンツデータを再生させる。
【００３２】
次に、コンテンツ配信装置１０の動作について説明する。
ステップＳ２１において、配信要求受信部１１は、受信端末２の配信要求送信部３０が送信する、受信端末識別情報およびコンテンツ配信要求情報を受信する。次に、配信要求受信部１１は、受信端末識別情報を埋め込み処理部１３に供給し、コンテンツ配信要求情報をコンテンツデータ記憶部１２に供給する。
【００３３】
次に、ステップＳ２２において、埋め込み処理部１３は、コンテンツデータ記憶部１２から読み出したコンテンツデータを取り込み、また、配信要求受信部１１が供給する受信端末識別情報を取り込む。次に、埋め込み処理部１３は、コンテンツデータの所定の箇所に受信端末識別情報を埋め込んで、埋め込み済コンテンツデータを生成する。次に、埋め込み処理部１３は、生成した埋め込み済コンテンツデータをコンテンツ送信部１４に供給する。
【００３４】
次に、ステップＳ２３において、コンテンツ送信部１４は、埋め込み処理部１３が供給する埋め込み済コンテンツデータを取り込み、この埋め込み済コンテンツデータを、コンテンツ要求元である受信端末２に送信する。
【００３５】
図４は、携帯端末３および契約情報管理装置２０の処理手順を示すフローチャートである。まず、携帯端末３の動作について説明する。
ステップＳ４１において、受信端末２の再生処理部５０が再生する埋め込み済コンテンツデータを取り込む。次に、入力部６０は、取り込んだ埋め込み済みコンテンツデータを受信端末識別情報抽出部７０に供給する。
【００３６】
次に、ステップＳ４２において、受信端末識別情報抽出部７０は、入力部６０が供給する埋め込み済コンテンツデータを取り込み、この埋め込み済コンテンツデータから受信端末識別情報を抽出する。次に、受信端末識別情報抽出部７０は、抽出した受信端末識別情報を識別情報送信部８０に供給する。
【００３７】
次に、ステップＳ４３において、識別情報送信部８０は、受信端末識別情報抽出部７０が供給する受信端末識別情報を取り込む。次に、識別情報送信部８０は、携帯端末３の記憶部に記憶された携帯端末識別情報を読出す。次に、識別情報送信部８０は、受信端末識別情報および携帯端末識別情報を契約情報管理装置２０に送信する。
【００３８】
次に、契約情報管理装置２０の動作について説明する。
ステップＳ６１において、識別情報受信部２２は、携帯端末３の識別情報送信部８０が送信する、その携帯端末３の携帯端末識別情報および受信端末識別情報を受信し、これら携帯端末識別情報および受信端末識別情報のペア情報を記憶管理部２３に供給する。
【００３９】
次に、ステップＳ６２において、記憶管理部２３は、識別情報受信部２２が供給する携帯端末識別情報および受信端末識別情報を取り込み、受信端末識別情報をキーとして、契約情報記憶部２１から受信端末識別情報に関係付けられた契約情報を検索する。次に、記憶管理部２３は、取り込んだ携帯端末識別情報を検索された契約情報に関係付けて契約情報記憶部２１に記憶させる。
【００４０】
以上説明したように、本実施形態であるコンテンツ配信システム１は、コンテンツ配信装置１０と契約情報管理装置２０とを含む。そして、コンテンツ配信装置１０は、受信端末２が送信した、この受信端末２を識別する受信端末識別情報およびコンテンツ配信要求情報を受信する配信要求受信部１１を備える。また、コンテンツ配信装置１０は、コンテンツ配信要求情報に対応するコンテンツデータに受信端末識別情報を埋め込んで埋め込み済コンテンツデータを生成する埋め込み処理部１３を備える。また、コンテンツ配信装置１０は、埋め込み済コンテンツデータをコンテンツの要求元である受信端末２に送信するコンテンツ送信部１４を備える。
【００４１】
また、契約情報管理装置２０は、契約者ごとに、受信端末識別情報と契約情報とを関係付けて記憶する契約情報記憶部２１を備える。また、契約情報管理装置２０は、埋め込み済コンテンツデータを受信した受信端末２がこの埋め込み済コンテンツデータを再生させたことに基づいて、その埋め込み済コンテンツデータを取り込んでこの埋め込み済コンテンツデータから受信端末識別情報を抽出した携帯端末３が送信する、携帯端末３を識別する携帯端末識別情報および受信端末識別情報を受信する識別情報受信部２２を備える。また、契約情報管理装置２０は、携帯端末識別情報および受信端末識別情報における受信端末識別情報をキーとして、契約情報記憶部２１から受信端末識別情報に関係付けられた契約情報を検索し、携帯端末識別情報を契約情報に関係付けて契約情報記憶部２１に記憶させる記憶管理部を備える。
【００４２】
この構成により、携帯端末３の使用者によって受信端末２が操作され、コンテンツデータ（例えば、導入ガイダンスビデオ、ヘルプビデオ）の再生が要求されると、受信端末２は、コンテンツ配信装置１０に対し、受信端末識別情報を指定して当該コンテンツデータの再生を要求する。コンテンツ配信装置１０は、受信端末識別情報とコンテンツデータの配信要求とに応じて、受信端末識別情報をコンテンツデータに埋め込んだ埋め込み済コンテンツデータを生成し、この埋め込み済コンテンツデータを受信端末２に送信する。受信端末２は、その埋め込み済コンテンツデータを受信して再生し、表示装置に表示させる。携帯端末３の使用者は、その再生された埋め込み済コンテンツデータを視聴しながら、つまり、導入ガイダンスビデオやヘルプビデオを視聴しながら、携帯端末３に埋め込み済コンテンツデータを入力させる。具体的に、例えば、表示装置に表示された埋め込み済コンテンツデータの画像を、携帯端末の撮影部（カメラ）で撮影させる。携帯端末３は、埋め込み済コンテンツデータの再生画像を取り込み、この再生画像に含まれる画像コードを認識してこの画像コードから受信端末識別情報を取得する。そして、携帯端末３は、この受信端末識別情報を携帯端末識別情報とともに契約情報管理装置２０に供給する。そして、受信端末識別情報および携帯端末識別情報のペア情報を受信した契約情報管理装置２０は、受信端末識別情報に関係付けられた契約情報にさらに携帯端末識別情報を関係付けて、受信端末識別情報、携帯端末識別情報、および契約情報のセットを管理する。
【００４３】
すなわち、本実施形態であるコンテンツ配信システム１によれば、インターネット上で会員登録を行ったり、受信端末２の設定画面上でエントリコードを入力したりするといった煩雑な入力作業を行うことなく、受信端末２の受信端末識別情報と携帯端末３の携帯端末識別情報とのペア情報を契約情報管理装置２０に提供することができる。コンテンツデータが導入ガイドビデオやヘルプビデオである場合、受信端末２および携帯端末３の使用者は、導入ガイドやヘルプ映像を見ながら、受信端末識別情報および携帯端末識別情報を全く気にすることなく、これらペア情報を契約情報管理装置２０に提供することができる。
【００４４】
なお、埋め込み処理部１３は、コンテンツデータにおけるあらかじめ決められた開始タイムコードの位置から終了タイムコードの位置までのオーディオデータ部分に、受信端末識別情報をコード化した音声情報（音声コード）を合成してもよい。この音声コードは、例えば、ＰＣＭ（Ｐｕｌｓｅ  Ｃｏｄｅ  Ｍｏｄｕｌａｔｉｏｎ）データである。埋め込み済コンテンツデータが、受信端末識別情報をコード化した音声情報を含む導入ガイダンスビデオである場合、再生処理部５０は、この導入ガイダンスビデオの音声を、図示しないスピーカから出力させる。そして、再生処理部５０が埋め込み済コンテンツデータの音声をスピーカから出力させた場合、入力部６０は、その音声を内蔵するマイクロフォン（不図示）で集音することによって、埋め込み済コンテンツデータを取り込む。そして、受信端末識別情報抽出部７０は、埋め込み済コンテンツデータに含まれる音声情報を認識し、この音声情報から受信端末識別情報を抽出する。
【００４５】
［その他の実施形態］
受信端末２の配信要求送信部３０が、当該受信端末２を使用する視聴者（契約者）に関する契約情報およびコンテンツ配信要求情報をコンテンツ配信装置１０に送信するようにしてもよい。
【００４６】
この場合、コンテンツ配信装置１０の配信要求受信部１１は、受信端末２が送信する、契約情報およびコンテンツ配信要求情報を受信し、契約情報を埋め込み処理部１３に供給し、コンテンツ配信要求情報をコンテンツデータ記憶部１２に供給する。埋め込み処理部１３は、コンテンツデータ記憶部１２から読み出されたコンテンツデータを取り込み、また、配信要求受信部１１が供給する契約情報を取り込む。埋め込み処理部１３は、コンテンツデータの所定の箇所に契約情報を埋め込んで、埋め込み済コンテンツデータを生成し、この埋め込み済コンテンツデータをコンテンツ送信部１４に供給する。コンテンツ送信部１４は、埋め込み処理部１３が供給する埋め込み済コンテンツデータを取り込み、この埋め込み済コンテンツデータを、コンテンツ要求元である受信端末２に送信する。
【００４７】
そして、携帯端末３の受信端末識別情報抽出部７０は、入力部６０が供給する埋め込み済コンテンツデータを取り込み、この埋め込み済コンテンツデータから契約情報を抽出する。受信端末識別情報抽出部７０は、抽出した契約情報を識別情報送信部８０に供給する。識別情報送信部８０は、受信端末識別情報抽出部７０が供給する契約情報を取り込み、この契約情報および携帯端末識別情報を契約情報管理装置２０に送信する。
【００４８】
契約情報管理装置２０の識別情報受信部２２は、携帯端末３が送信する、当該携帯端末３の携帯端末識別情報および契約情報を受信し、これら携帯端末識別情報および契約情報のペア情報を記憶管理部２３に供給する。記憶管理部２３は、識別情報受信部２２が供給する携帯端末識別情報および契約情報を取り込み、これら携帯端末識別情報および契約情報を契約情報記憶部２１に記憶させる。
【００４９】
なお、上述した実施形態におけるコンテンツ配信装置の一部の機能をコンピュータで実現するようにしてもよい。この場合、その機能を実現するためのプログラムをコンピュータ読み取り可能な記録媒体に記録し、この記録媒体に記録されたプログラムをコンピュータシステムに読み込ませて、このコンピュータシステムが実行することにより、当該機能を実現してもよい。なお、このコンピュータシステムとは、オペレーティングシステム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記のプログラムは、前述した機能の一部を実現するためのものであってもよく、さらに、前述した機能をコンピュータシステムにすでに記録されているプログラムとの組み合わせにより実現するものであってもよい。
【００５０】
以上、本発明の実施の形態について図面を参照して詳述したが、具体的な構成はその実施形態に限られるものではなく、本発明の要旨を逸脱しない範囲の設計等も含まれる。
【符号の説明】
【００５１】
１…コンテンツ配信システム、２…受信端末、３…携帯端末、１０…コンテンツ配信装置、１１…配信要求受信部、１２…コンテンツデータ記憶部、１３…埋め込み処理部、１４…コンテンツ送信部、２０…契約情報管理装置、２１…契約情報記憶部、２２…識別情報受信部、２３…記憶管理部、３０…受信要求送信部、４０…コンテンツ受信部、５０…再生処理部、６０…入力部、７０…受信端末識別情報抽出部、８０…識別情報送信部
【図１】
2015095038.tif 000003
【図２】
2015095038.tif 000004
【図３】
2015095038.tif 000005
【図４】
2015095038.tif 000006